(57)【要約】    【課題】患者の負担が少なく、経鼻薬剤が容易にしかも、安定して担持される鼻腔内挿入型の薬剤担持補助具の提供。    【解決手段】  本発明に係る鼻腔内挿入型の薬剤担持補助具１は、細長材３により全体の形状が略Ｕ字状に形成されている。上記細長材３の開放端部５を含み骨鼻中隔９の両側に略平行に挿入される一対の鼻腔内挿入部１１を備えている。この鼻腔内挿入部１１には薬剤が担持された薬剤担持材１３が取付けられる薬剤担持材取付部１５が備えられている。この薬剤担持補助具１は、上記鼻腔内挿入部１１が可撓性を有し、湾曲形状部分２１又は球状突起１７を備えていることがより好ましい。細長材３は、例えばポリオレフィン系樹脂からなり、直径が１ｍｍ程度のものが用いられる。【選択図】図２
2005245640.tif 000002
【特許請求の範囲】
【請求項１】
細長材により全体の形状が略Ｕ字状に形成されており、
上記細長材の開放端部を含み骨鼻中隔の両側に挿入されるように形成された一対の鼻腔内挿入部を備えており、
この鼻腔内挿入部には薬剤が担持された薬剤担持材が取付けられる薬剤担持材取付部が備えられている鼻腔内挿入型の薬剤担持補助具。 
【請求項２】
上記鼻腔内挿入部は、可撓性を有し、
湾曲形状部分又は球状突起を備えている請求項１に記載の薬剤担持補助具。
【発明の詳細な説明】
【技術分野】
【０００１】
本発明は、鼻に挿入して用いられる鼻腔内挿入型の薬剤担持補助具に関する。
【背景技術】
【０００２】
鼻腔の感染症治療等のため、抗生物質等の液状製剤が含浸されたガーゼが鼻腔内に挿入される方法が行われている。これは鼻腔内でガーゼが移動して偏り、呼吸の邪魔になったり、患部からずれたりする恐れがある。スプレー等により液状薬剤又は微粉末を鼻から吸入される形態のものが多く用いられている。しかし、この投与方法では、一度に多量の薬剤が噴霧される等により、薬剤の量が過大になることがある。また、薬剤の持続性が小さいことが多い。
【０００３】
最近では、このような鼻の治療又は喘息、花粉症等の呼吸器器官の直接的な治療以外にも用いられている。例えば、骨の形成促進剤、女性ホルモン剤、経鼻ワクチン剤等、鼻の粘膜から吸収させる薬剤が開発されている。鼻の粘膜からこの経鼻薬剤が吸収させる方法は、分解しやすい薬剤が用いられる場合に特に効果的であるといわれている。また、鼻から吸気により、効果的に吸入される薬剤も開発されつつあり経鼻薬剤が多種多様になりつつある。しかし、これらの薬剤の投与方法は、上記のガーゼ等の直接挿入、スプレー又は複雑な構造の薬剤供給装置等が用いられ患者への負担も大きい。
【発明の開示】
【発明が解決しようとする課題】
【０００４】
本発明はこのような現状に鑑みてなされたものであり、患者の負担が少なく、経鼻薬剤が容易にしかも、安定して担持される鼻腔内挿入型の薬剤担持補助具を提供することを目的としている。
【課題を解決するための手段】
【０００５】
本発明に係る鼻腔内挿入型の薬剤担持補助具は、細長材により全体の形状が略Ｕ字状に形成されており、上記細長材の開放端部を含み骨鼻中隔の両側に挿入されるように形成された一対の鼻腔内挿入部を備えている。この鼻腔内挿入部には薬剤が担持された薬剤担持材が取付けられる薬剤担持材取付部が備えられている。
【０００６】
本発明に係る鼻腔内挿入型の薬剤担持補助具の鼻腔内挿入部は、可撓性を有し、湾曲形状部分又は球状突起を備えていることがより好ましい。
【発明の効果】
【０００７】
この鼻腔内挿入型の薬剤担持補助具は、薬剤を担持させたガーゼ等が巻き付けられ鼻腔内挿入部が鼻腔に挿入されるだけで簡単に使用される。これにより、ガーゼ等の薬剤担持材が一定の場所に保持され、呼吸の障害にならない。この薬剤担持補助具自体は鼻腔に優しい材質及び形状を備えており、鼻の粘膜にも優しく患者の負担が少ない。
【発明を実施するための最良の形態】
【０００８】
以下、適宜図面が参照されつつ、好ましい実施形態に基づいて本発明が詳細に説明される。
【０００９】
図１には、本発明の一実施形態に係る鼻腔内挿入型の薬剤担持補助具１が示されている。図１（ａ）は鼻腔内挿入型の薬剤担持補助具（以下、担持補助具という。）の正面図であり、図１（ｂ）は右側面図である。図２は、担持補助具１が用いられている様子が示めされた人の鼻の断面図である。
【００１０】
この担持補助具１は、直径が細く長さが長い細長材３にからなる。図１（ａ）に示されているように、担持補助具１は、この細長材３により全体の形状が略Ｕ字状に形成されている。上記細長材３の開放端部５を含み鼻７の骨鼻中隔９の両側に挿入されるように形成された一対の鼻腔内挿入部１１を備えている。
【００１１】
この鼻腔内挿入部１１には薬剤が担持された薬剤担持材１３が取付けられる薬剤担持材取付部１５が備えられている。この薬剤担持材１３は、液体又は粉体の薬剤を保持できるもので鼻の粘膜に優しいものであればよく、主としてガーゼや脱脂綿が用いられる。この薬剤担持材１３の長さ及び容積は、鼻腔内で呼吸の邪魔にならないように、しかも、薬剤が鼻腔から効果的に吸収されるように調節される。
【００１２】
薬剤担持材取付部１５の細長材３は、一又は複数の突起１７を備えている。この突起１７は、鋭角的な角を有しない限り形状に特に制限はないが、鼻の粘膜に優しい面から球状であることがより好ましい。この突起１７は、薬剤担持材１３が細長材３上でずれにくく、保持されやすいように設けられている。
【００１３】
細長材３の直径は、材質の強度、硬度又は弾性により適宜設定される。細長材の材質としては、直径は、通常、０．７ｍｍ以上２ｍｍ以下程度である。この直径が小さすぎると剛性が不足して薬剤担持材が取付にくくなる。また、ある程度の剛性がないと、鼻腔内に担持補助具１が挿入されにくい。逆に、直径が大きすぎると鼻腔の空間が狭められ、呼吸の障害になる恐れがある。
【００１４】
この細長材３が有する球状の突起１７の直径は、通常、１．２ｍｍ以上３ｍｍ以下程度である。突起１７の形状が球状以外のものでも球状の場合と同程度の大きさとされる。この突起１７が小さすぎると、薬剤担持材取付部１５の薬剤担持材１３保持機能が不足する。また、この突起１７が大きすぎると、上記と同様に薬剤担持材１３の容積と重なり呼吸の障害になる恐れがある。
【００１５】
担持補助具１を形成する細長材３は、材質に特に制限はなく、合成樹脂、ゴム及び金属が用いられ得る。しかし、この材質には鼻腔内の粘膜に接する当たりの軟らかさ及び安全性が求められる。この担持補助具１は、複数の異なる材質が組み合わされて形成されてもよい。担持補助具１の少なくとも鼻腔内挿入部の材質は、可撓性及び比較的軟質の硬度を備えていることが好ましい。この観点から、ポリオレフィン系樹脂、シリコン樹脂、ポリウレタン樹脂、合成ゴム、熱可塑性エラストマー等が好適に用いられる。
【００１６】
これらの材料には、薬品等に関する各種の毒性試験、安全性試験の基準に基づき安全性が確認されたものが選択される。上記担持補助具１の材質は、製造しやすさ及び価格の面から単一の材質からなることが好ましい。なかでも、軟質ポリ塩化ビニル、ポリエチレン、ポリプロピレン、ポリブテン、エチレン−αオレフィン系共重合体、エチレン−ビニルアルコール系共重合体、エチレン−酢酸ビニル系共重合体、又はこれらの中から２種以上組み合わせたブレンド物が剛性及び柔軟性、耐滅菌性、医療安全性等に優れる面から好ましい。
【００１７】
上記鼻腔内挿入部１１は、骨鼻中隔９又は鼻柱２３にひっかかりやすいような構造を備えていることがより好ましい。図１（ａ）に示されているように、担持補助材１では略Ｕ字状底部１９に近い部分に互いに内側に湾曲した湾曲形状部分２１を備えている。この湾曲形状部分２１は、骨鼻中隔９又は鼻柱２３にひっかかりやすい。この湾曲形状部分２１により、担持補助具１を付けたまま立ち歩いても担持補助具１が簡単に脱落することがない。
【００１８】
図３（ａ）は、本発明の他の実施形態に係る担持補助具２５が示された正面図である。図３（ｂ）担持補助具２５の右側面図である。図３の担持補助具２５も細長材により全体がＵ字形状に形成されている。担持補助具２５は、図１の担持補助具１と同様に、鼻腔内挿入部２７を備えている。また、この鼻腔内挿入部２７は、球状の突起２９を有する薬剤担持材取付部３１を備えている。また、鼻腔内挿入部２７は担持補助具２５の略Ｕ字状底部に近い部分に互いに内側に湾曲した湾曲形状部分３３を備えている。
【００１９】
この担持補助具２５は、図１の担持補助具１と基本構造は同じであるが形状が異なっている。すなわち、担持補助具２５は、横幅に対して縦方向に短い。この細長材３５は、球状突起２９がより大きい。また、湾曲形状部分３３と直線部３７との角部３９の曲率がより大きくなっている。この湾曲形状部分３３にガーゼ等の薬剤担持材の端部が止められると、この端部が角部３９のひっかかり効果でずれにくい。また、上記球状突起２９が大きいため、鼻の粘膜には比較的鋭角になっている湾曲部形状部分の角部３９が当たらず球状突起２９の方が接するようになっている。
【００２０】
担持補助具が用いられる人の鼻は多様である。また、担持される薬剤により、その用いられ方も異なる。例えば、担持されるべき薬剤の位置をとっても鼻腔の浅い部分から奥の部分まである。このため、好適に装着されるためには、ある程度の形状の異なる担持補助具が備えられることが好ましい。
【００２１】
図４（ａ）は、本発明のさらに他の実施形態に係る担持補助具４１が示された正面図である。図４（ｂ）は、担持補助具４１の右側面図である。この担持補助具４１も細長材４２により全体がＵ字形状に形成されている。この担持補助具４１は、湾曲部分を有さず直線状の鼻腔内挿入部４３を備えている。この鼻腔内挿入部４３は、球状の突起４４を有する薬剤担持材取付部４５を備えている。薬剤担持材取付部４５の先端部の球状突起４７は、鼻腔内挿入部４３の延びる方向に直交する方向に一対の枝部４９を介して形成されている。このような枝部４９を備えた突起４７により、薬剤担持材が薬剤担持材取付部４５により確実に取付られる。
【００２２】
鼻腔内挿入部４３のＵ字状底部に近い部分には、上記球状突起４７と同様の一対の脱落防止の球状突起５１を備えている。この球状突起５１は、用いる人の鼻の骨鼻中隔又は鼻柱に優しく接して鼻から担持補助具４１が脱落することを防止する。
【００２３】
図５（ａ）は、本発明のさらに他の実施形態に係る担持補助具５３が示された正面図である。図５（ｂ）は、担持補助具５３が示された右側面図である。この担持補助具５３は、細長材５５により全体の形状が略Ｕ字状に形成されており、この細長材５５の開放端部５７を含む一対の鼻腔内挿入部５９を備えている。この鼻腔内挿入部５９には薬剤担持材取付部６１が備えられている。この薬剤担持材取付部６１には、球状の突起６２が備えられている。この図５（ａ）及び（ｂ）に示されているように、担持補助具５３は、構造がシンプルである。この担持補助具５３は、取り付けられた薬剤担持材がずれにくく、鼻腔内に薬剤担持材を容易に挿入担持することができる。
【００２４】
この担持補助具５３は、簡素な構造であるため、製造しやすく安価である。その反面、担持補助具５３の脱落防止は、鼻腔内に挿入された薬剤担持材と鼻の粘膜との粘着性又は摩擦に依存している。通常、担持補助具は、可撓性を備えた比較的比重の小さい樹脂等からなる。このため、液状の薬剤を含浸させたガーゼが薬剤担持材取付部６１に保持されている場合等では、容易には脱落しにくい。担持補助具５３の脱落をより確実に防止する必要がある場合には、薬剤担持材が取付られた担持補助具５３を医療用のテープ等で鼻の下に留めて用いることもできる。
【産業上の利用可能性】
【００２５】
本発明は、医療用の鼻腔内挿入型の薬剤担持補助具に適用され得る。
【図面の簡単な説明】
【００２６】
【図１】図１は、本発明の一実施形態に係る薬剤担持補助具が示された正面図及び右側面図である。
【図２】図２は、図１の担持補助具が用いられている様子が示めされた人の鼻の断面図である。
【図３】図３は、本発明の他の実施形態に係る担持補助具が示された正面図及び右側面図である。
【図４】図４は、本発明のさらに他の実施形態に係る担持補助具が示された正面図及び右側面図である。
【図５】図５は、本発明のさらに他の実施形態に係る担持補助具が示された正面図及び右側面である。
【符号の説明】
【００２７】
１、２５、４１、５３・・・薬剤担持補助具
３、３５、５５・・・細長材
５・・・開放端部
７・・・鼻
９・・・骨鼻中隔
１１、２７、４３、５９・・・鼻腔内挿入部  
１３・・・薬剤担持材
１５、３１、４５、６１・・・薬剤担持材取付部
１７、２９、４７、５１・・・突起
１９・・・底部
２１、３３・・・湾曲形状部分
２３・・・鼻柱
３７・・・直線部
３９・・・角部
【図１】
2005245640.tif 000003
【図２】
2005245640.tif 000004
【図３】
2005245640.tif 000005
【図４】
2005245640.tif 000006
【図５】
2005245640.tif 000007